(57)【特許請求の範囲】
【請求項１】
電動機と、該電動機により回転駆動する鋸刃と、前記電動機を内蔵し前記鋸刃を回動可能に保持する本体と、前記本体下部に取付けられ、前記鋸刃の一部を下方に突出させる開口部を有したベースとを有する携帯用丸鋸であって、前記ベース底面に切断方向前方側で前記鋸刃の延長上に位置し、前記開口部から前記ベースの切断方向前方端部にかけて延びる凹部を設けたことを特徴とする携帯用丸鋸。
【請求項２】
前記ベースの切断方向前方端部には前記鋸刃の延長上に位置する切欠きを有するガイドピースが設けられていることを特徴とする請求項１記載の携帯用丸鋸。
【発明の詳細な説明】
【０００１】
【発明の属する技術分野】
本発明は、切断作業の案内部材となるベースを有する携帯用丸鋸に関するものである。
【０００２】
【従来の技術】
図３及び図４を用いて従来の携帯用丸鋸の一例を説明する。なお、図３は携帯用丸鋸の一切断作業状態を示す斜視図であり、図４は従来の携帯用丸鋸のベースの一例を示す底面斜視図である。
【０００３】
図に示すように携帯用丸鋸は、図示しない電動機を内蔵し、鋸刃２を回動可能に保持する本体１と、本体１下部に取付けられ、鋸刃２の一部を下方に突出可能な開口部３ａを有するベース３と、ベース３の切断方向前方端部に鋸刃２の延長上に位置する切欠き４ａを有するガイドピース４とを備えた構成をしている。
【０００４】
上記構成をした携帯用丸鋸の一切断作業として、図３に示すように被切断材５上に描かれた墨線６に鋸刃２の延長上に位置する切欠き４ａを位置させた状態で切断作業を行う作業があり、これにより墨線６に沿った切断を行うことができる。
【０００５】
【発明が解決しようとする課題】
上記した構成の従来の携帯用丸鋸では、上記したように墨線６に沿った切断作業を行うと図４に示す形状をしたベース１の底面が被切断材５に引かれた墨線６の上を摺動するため、ベース３の開口部３ａ内において鋸刃２が実際に被切断材５を切断する位置では墨線６がにじむ、または墨線６が消えてしまい、鋸刃２が被切断材５を切断する個所を直接確認しながら切断作業を行う際には鋸刃２を墨線６に合せられず、正確な切断ができなくなるという問題があった。
【０００６】
また、ベース３底面に墨線６の墨が付着してしまい、被切断材５上を汚してしまう恐れがあるものであった。
【０００７】
本発明の目的は、上記欠点を解消し、墨線をにじませてしまうこと、または消してしまうことを抑制することができ、切断作業性の良い携帯用丸鋸を提供することである。
【０００８】
【課題を解決するための手段】
上記目的は、ベース底面に切断方向前方側で鋸刃の延長上に位置する凹部を設けることにより達成される。
【０００９】
【発明の実施の形態】
本発明携帯用丸鋸の一実施形態を図１〜図３を用いて以下説明する。
【００１０】
図１は本発明携帯用丸鋸の一実施形態を示す底面斜視図であり、図２は本発明携帯用丸鋸の一実施形態を示す要部拡大図である。
【００１１】
図１及び図２に示すようにベース１底面の切断方向前方には、鋸刃２の幅よりも大きな幅を有し、鋸刃２の延長上に位置する凹部３ｂが設けられている。凹部３ｂはベース３の切断方向前方において切断方向前方端部から開口部３ａにかけて延びた形状をしている。
【００１２】
また、ベース３の切断方向前方には鋸刃２の延長上に位置し、切断時のガイド部となる切欠き４ａを有するガイドピース４が設けられている。ガイドピース４は、その底面がベース３底面よりも上方に位置するように設けられている。
【００１３】
上記したような構成をした携帯用丸鋸は、図３に示すように被切断材５上に描かれた墨線６に沿った切断作業を行う際、被切断材５上の墨線６の上をベース３底面の凹部３ｂが通ることになるため、ベース３底面と墨線６とが接触してしまうことを抑制することができるようになり、墨線６をにじませてしまうこと、または消してしまうことを抑制することができるようになる。このため、ベース３の開口部３ａ内において鋸刃２と被切断材５上に描かれた墨線６とを合わせることが容易に行うことができるため、切断作業性を向上させることができるようになる。また、被切断材５上の墨線６がベース３底面に付着してしまうことを抑制することができるため、被切断材５上を汚してしまうことを抑制することができる。
【００１４】
なお、携帯用丸鋸には図３に示すように本体１とベース３とを鋸刃２の長手方向に対して平行に延びる支点部７により連結し、ベース３上面に突出したリンク部８、本体１とネジ係合するボルト９を有した固定手段を設けた構成をし、固定手段のボルト９を緩めることにより本体１に対してベース３を支点部７を支点として回動させ、ベース３底面に対する鋸刃２の角度を傾斜させることができるようにしたものがある。このような構成をしたもので、ベース３底面に対する鋸刃２の角度を傾斜させると、ベース３に対する鋸刃２の鋸刃２の軸心方向における位置が変更することになる。このため、ベース３の切断方向前方に設けられるガイド部である切欠き４ａを有するガイドピース４には、もう１個の切欠き４ｂが設けられている。切欠き４ａはベース３底面に対する鋸刃２の角度を直角とした際に鋸刃２の延長上に位置するものであり、切欠き４ｂはベース３底面に対する鋸刃２の角度を４５°に傾斜させた際に鋸刃２の延長上に位置するものである。なお、切欠き４ｂが対応するベース３底面に対する鋸刃２の角度が４５°であるのは切断作業として多く利用される傾斜角度に設定されているためである。
【００１５】
上記した凹部３ｂの鋸刃２の軸心と平行な幅Ａは、ベース３底面に対する鋸刃２の角度が直角である際の鋸刃２の延長から、ベース３底面に対する鋸刃２の角度を最大に傾斜させた際の鋸刃２の延長を含む寸法を持つことが望ましく、このような構成とすることにより、本体１に対してベース３を回動させベース３底面に対する鋸刃２の角度を傾斜させた際にあっても、ベース３底面に被切断材５上の墨線６を密着させてしまうことを抑制することができ、墨線６をベース３底面によってにじませてしまう、または消してしまうということを抑制することができるようになる。
【００１６】
また、上記実施形態では、ベース３の切断方向前方端部にガイド部となる切欠き４ａ、４ｂを有するガイドピース４を設けた構成としたが、ベース３にガイド部が設けられていない構成でも良い。
【００１７】
また、ベース３に直接ガイド部である切欠きが形成された構成であっても良く、またガイド部がベース３の開口部３ａの切断方向前方に設けられたものであっても良い。
【００１８】
【発明の効果】
上記したように、本発明によれば、ベース底面に切断方向前方側で鋸刃の延長上に位置する凹部を設けたこうせいとすることにより、ベース底面に被切断材上に描かれた墨線が密着してしまい、墨線をにじませてしまうこと、または消してしまうことを抑制することができるようになり、ベースの開口部内における鋸刃と墨線との合わせ作業を正確に行うことができるようになり、作業性の向上を図ることができる携帯用丸鋸を提供することができるようになる。
【図面の簡単な説明】
【図１】本発明携帯用丸鋸の一実施形態を示す底面斜視図。
【図２】本発明携帯用丸鋸の一実施形態を示す要部拡大斜視図。
【図３】携帯用丸鋸の一切断作業状態を示す斜視図。
【図４】従来の携帯用丸鋸の一例を示す底面斜視図。
【符号の説明】
１は本体、２は鋸刃、３はベース、３ａは開口部、３ｂは凹部、４はガイドピース、４ａ、ｂは切欠き、５は被切断材、６は墨線である。
【図１】
0004211233.tif 000002
【図２】
0004211233.tif 000003
【図３】
0004211233.tif 000004
【図４】
0004211233.tif 000005